(57)【要約】      （修正有）【課題】火災発生時などにおける初期消火のために、誰もが容易に操作でき、数秒以内で完全消火が可能な簡易消火器具を提供する。【解決手段】伸縮自在の取っ手棒と、この取っ手棒の先端に取り付けられた揮発性で不燃性の消火液を含有するマイクロカプセルを内包した袋状体（容器）からなる簡易消火器具であって、マイクロカプセルが高温に曝されると不燃性気化ガスが放出し、火災発生時などにおいて初期消火が行なえる。この消火器具を例えば華麗での天ぷら油火災時に用いれば、容器を火炎に挿入した時点から数秒以内に消火するとともに、再燃もない。したがって、驚き慌てふためいた当事者（例えば主婦）でも、簡単な操作で、危険なく安心して使用することが出来る。【選択図】図１
0003127934.tif 000002
【実用新案登録請求の範囲】
【請求項１】
伸縮自在の取っ手棒３と、この取っ手棒３の先端部５に消火剤４を内包した容器１を取り付けた簡易消火器具であって、該消火剤４が揮発性且つ不燃性の消火液を含有するマイクロカプセルからなることを特徴とする簡易消火器具。
【請求項２】
上記の取っ手棒３の先端部５の一部が高温で軟化破断することを特徴とする請求項１に記載の簡易消火器具。
【請求項３】
上記の取っ手棒３の先端部５と容器２とは紐状体６で取り付けられたことを特徴とする請求項１に記載の簡易消火器具。
【請求項４】
縮小された取っ手棒３の少なくとも一部が容器１の内部に収納されることを特徴とする請求項１乃至請求項３に記載の簡易消火器具。
【請求項５】
上記の取っ手棒３の基端部６又はその近傍に支持具８が取り付けられ、容器２を上にして立てられるようにしたことを特徴とする請求項１乃至請求項４記載の簡易消火器具。
【請求項６】
縮小された取っ手棒３の少なくとも一部が容器２の内部に収納された状態で、該容器２が取っ手棒３を上側にして立てられる構造であることを特徴とする請求項１乃至請求項４に記載の簡易消火器具。
【請求項７】
上記の紐状体７が高温で容易に軟化切断される、又は、火炎で容易に燃焼切断される材料からなることを特徴とする請求項３乃至請求項６に記載の簡易消火器具。
【請求項８】
上記の容器２が高温で容易に軟化破断する材料からなり、内包されたマイクロカプセルが放出されることを特徴とする請求項１乃至請求項６に記載の簡易消火器具。
【請求項９】
上記の容器２が通気性の袋体からなることを特徴とする請求項１乃至請求項８に記載の簡易消火器具。
【請求項１０】
上記の容器２が網体からなることを特徴とする請求項１乃至請求項９に記載の簡易消火器具。
【請求項１１】
上記の容器２が気密性のある材料からなることを特徴とする請求項１乃至請求項８に記載の簡易消火器具。
【請求項１２】
上記の消火液が沸点５０℃乃至１５０℃である常温で液体からなることを特徴とする請求項１乃至請求項１１に記載の簡易消火器具。
【請求項１３】
上記の消火液が水又は水を主成分とする液体状混合物であることを特徴とする請求項１２に記載の簡易消火器具。
【請求項１４】
上記の消火液がジブロモメタン（二臭化メタン）またはジブロモメタンを主成分とする液体状混合物であることを特徴とする請求項１２に記載の請求項簡易消火器具。
【請求項１５】
上記のマイクロカプセルの殻が１３０℃乃至２００℃で消火液の気化ガス圧で破壊し、該気化ガスが放出されることを特徴とする請求項１乃至請求項１４に記載の請求項簡易消火器具。
【請求項１６】
上記のマイクロカプセルの殻が天然樹脂又は合成樹脂またはこれらの混合物で形成されることを特徴とする請求項１乃至請求項１４に記載の請求項簡易消火器具。
【請求項１７】
上記の天然樹脂がゼラチン又はゼラチンを主成分とする混合物であることを特徴とする請求項１５に記載の請求項簡易消火器具。
【考案の詳細な説明】
【技術分野】
【０００１】  本考案は、家庭内、レストラン等での台所、調理場、厨房などの小規模火災発生時（特に天ぷら油による火災）などにおける消火特に初期消火のために、誰もが容易に操作できる簡易消火器具に関するものである。
【背景技術】
【０００２】  従来より家庭内などに設置されている消火器等の消火器具として、ＡＢＣ粉末消火器が一般的である。小型軽量と称する簡易消火具も市販されている。例えば、商品名「フラワー消火弾」として供されているもの（実公昭５８−４１９８１）、伸縮自在の柄と柄の先端に消火剤を収容した容器を設けたことを特徴とする実開昭６１−２１５５５に示された技術、さらに、伸縮自在の取っ手の先端に消火剤収容部を吊着したことを特徴とする実開平２−９１２１８及び実開平４−６７４６３に示された技術が開示されている。【０００３】  しかしながら、これらの技術に開示されている消火剤は、例えば天ぷら料理を作成している天ぷら鍋のてんぷら油が着火燃焼するような火災発生時において、発泡することによって空気を遮断し、消火するものである。しかし、発泡展開に時間を要するため完全消火に１０数秒を要し、驚き慌てているはずの主婦には、この１０数秒も長い時間と感じていると思われる。
【考案が解決しようとする課題】
【０００４】  以上のように、家庭内などでの火災発生時などにおける初期消火のための操作が簡単で危険を感じることの少ない安心して使える簡易消火器（具）を提供することである。
【課題を解決するための手段】
【０００５】  上記課題を解決するものとして、本考案による簡易消火器具は、消火液を含有したマイクロカプセルを内包した容器と、この容器を先端に取り付けた伸縮自在の取っ手棒により構成される。
【０００６】  すなわち、以下の特徴を有する簡易消火器具により上記課題が解決される。「請求項１」伸縮自在の取っ手棒２と、この取っ手棒２の先端４に消火剤３を内包した容器１を取り付けた簡易消火器具であって、該消火剤３が揮発性且つ不燃性の消火液を含有するマイクロカプセルからなることを特徴とする簡易消火器具。
「請求項２」上記取っ手棒２の先端４の一部が高温で軟化破断することを特徴とする請求項１に記載の簡易消火器具。
「請求項３」上記取っ手棒２の先端４と容器１とは紐状体６で取り付けられたことを特徴とする請求項１に記載の簡易消火器具。
「請求項４」縮小された取っ手棒２の少なくとも一部が容器１の内部に収納されることを特徴とする請求項１乃至請求項３に記載の簡易消火器具。
「請求項５」上記取っ手棒２の他端５又はその近傍に支持具７が取り付けられ、容器を１を上側にして立てられるようにしたことを特徴とする請求項１乃至請求項４記載の簡易消火器具。
「請求項６」縮小された取っ手棒２の少なくとも一部が容器１の内部に収納された状態で、該容器１が取っ手棒２を上側にして立てられる構造であることを特徴とする請求項１乃至請求項４に記載の簡易消火器具。
「請求項７」上記の紐状体６が高温で容易に軟化切断される、又は、火炎で容易に燃焼切断される材料からなることを特徴とする請求項３乃至請求項６に記載の簡易消火器具。
「請求項８」上記の容器１が高温で容易に軟化破断する材料からなり、内包されたマイクロカプセルが放出されることを特徴とする請求項１乃至請求項６に記載の簡易消火器具。
「請求項９」上記の容器１が通気性の袋体からなることを特徴とする請求項１乃至請求項８に記載の簡易消火器具。
「請求項１０」上記の容器１が網体からなることを特徴とする請求項１乃至請求項９に記載の簡易消火器具。
「請求項１１」上記の容器１が気密性のある材料からなることを特徴とする請求項１乃至請求項８に記載の簡易消火器具。
「請求項１２」上記の消火液が沸点５０℃乃至１５０℃である常温で液体からなることを特徴とする請求項１乃至請求項１１に記載の簡易消火器具。
「請求項１３」上記の消火液が水又は水を主成分とする液体状混合物であることを特徴とする請求項１２に記載の簡易消火器具。
「請求項１４」上記の消火液がジブロモメタン（二臭化メタン）またはジブロモメタンを主成分とする液体状混合物であることを特徴とする請求項１２に記載の簡易消火器具。
「請求項１５」上記のマイクロカプセルの殻が１３０℃乃至２００℃で消火液の気化ガス圧で破壊し、該気化ガスが放出されることを特徴とする請求項１乃至請求項１４に記載の簡易消火器具。
「請求項１６」上記のマイクロカプセルの殻が天然樹脂又は合成樹脂またはこれらの混合物で形成されることを特徴とする請求項１乃至請求項１４に記載の簡易消火器具。
「請求項１７」上記の天然樹脂がゼラチン又はゼラチンを主成分とする混合物であることを特徴とする請求項１５に記載の簡易消火器具。
【作用】
【０００７】  本考案に係わる、簡易消火器具は、取り出しやすい場所に常置しておき、火災において、取っ手の部分を指でつまんでアンテナ状に引き伸ばし、そのまま取っ手棒の基端部を片手で持って容器部分を天ぷら鍋に挿入すれば火炎によって、容器が取っ手棒からはずれ、高温に曝されたマイクロカプセル内の揮発性不燃液が気化して、気化ガス圧によりマイクロカプセルが破裂し、気化ガスが火炎及び高温の油面を覆って、空気を遮断して消火するとともに、気化熱によって油温度が下がり、再燃を防止することが出来る。特に、ジブロモメタンは発生した臭素ラジカルにも消炎効果があり、消火効果は高い。その結果、
【考案を実施するための最良の形態】
【０００８】  本考案において、用いられるマイクロカプセルの容器は球状、筒状、角長状、袋状など任意の形状を使用することも出来、気密性の有るもの、通気性のあるものも用いることが出来る。また、動物、人形のような親しみやすい形状のものも範疇に入れられる。容器は透明、半透明あるいは不透明でも良い。さらに容器は網状体でも用いられる。【０００９】  消火のために、容器が火中に挿入され、マイクロカプセルに内包されている消化液が高温に気化し、気化ガスの圧力でマイクロカプセルの殻が破裂し、気化ガスが放出されることである。したがって、容器の材質あるいは材料は、マイクロカプセルが放出されるか、気化ガスが放出されうるものであれば、任意のものが使用できる。【００１０】  したがって、用いられる容器の材質あるいは材料としては、容器が気密性の場は、たとえば、てんぷら油火災のような高温（３００℃以上）の場合、火炎や油温で容器が消失するか、軟化・溶融して少なくとも一部が破壊して、マイクロカプセルが放出されればよい。したがって、天然樹脂、紙やセルロース改質合成樹脂は、火炎で消失するので好ましい。合成樹脂が用いられる場合はその軟化あるいは溶融温度が火災時の油温以下であればよい。ポリエチレン、ポリプロピレン、ナイロン、ポリエチレンテレフタレート、ぽり塩化ビニール、ポリスチレンなどが用いられる。これらのブレンドも用いることが出来る。
さらに、容器が通気性のものであれば、気化ガスは容器から放出されるので、容器は破壊される必要がなく、この場合は材質・材料はさらに任意となる。金属繊維、金属網、天然繊維、合成繊維、織物などが用いられる。【００１１】  用いられるマイクロカプセルは、その直径が５０ミクロンから１０００ミクロン程度のものが用いられる。特に５０ミクロンから２００ミクロン程度のものが粉体状であり、容器への挿入操作が簡単である。【００１２】  水系を内包したマイクロカプセルの場合は、溶融温度が１００℃以下の合成樹脂の殻材に水系の芯材を内包すればよい。従来の２連溶融押し出し法で、５００ミクロンから１００ミクロンのものが容易に製造される。また、たとえばジブロモメタンのような疎水系液体の場合は、たとえば、ゼラチンあるいはゼラチンを主成分とする混合物を殻材として、通常の溶液ソルベーション法を用いれば、５０ミクロンから３００ミクロンのマイクロカプセルを作成することが出来る。【００１３】  取っ手棒の材料はアルミニウム、ステンレスなどの金属、あるいは、ポリエチレン、ポリプロピレン、ナイロン、ポリエチレンテレフタレート、ポリ塩化ビニール、ポリスチレンなどの合成樹脂、複合合成樹脂材などを用いることが出来る。金属材料の場合は、ポリエチレン、ポリスチレン、ポリ塩化ビニルナとの低軟化・融解温度を有する合成樹脂を取っ手棒の先端近傍の材料に用いれば、火炎により、先端に取り付けられた容器は容易に取っ手棒から離脱される。【００１４】取っ手棒の先端に吊着する容器に用いられる紐体の材料は、火炎で消失あるいは軟化・溶融して破断するものなら何でも良い。天然繊維や合成繊維が好ましく用いられる。【００１５】  取っ手棒棒の少なくとも一部が容器に挿入されても良い。そして、取っ手棒の基端部あるいはその近傍に支持体を取り付けることが出来る。この場合、容器を上側にして、消火器具を立てることが出来、見やすく取りやすい場所に設置することが出来る。支持体をフック状などにしておけば壁などに吊るすことも出来る。
【効果】
【００１６】  この簡易消火器具では、容器部分を天ぷら鍋に挿入した途端から数秒以内に完全消火し、再燃することがないので、驚き慌てている当事者（例えば主婦）にとってすぐ安心できることも大きな利点である。操作も簡単である。また、従来の界面活性剤入りの発泡型消化剤と違って、消火に当たって発泡することもなく、消化後において発生した泡の始末も必要がないことも、主婦にとって好ましいことと思われる。
【実施例１】
【００１７】  本考案に基づく実施例について、第１〜２図を参照して説明する。
第１図には、伸縮自在に構成された取っ手棒２が引き伸ばされた状態と、この取っ手棒２の先端部には消火剤を内包した容器１が約１５ｃｍ長の紐状体（本実施例では綿糸）６で取り付けてあり、火災が発生した天ぷら鍋８の中に片手を差し伸ばし挿入されている状態が示されている。取っ手棒２は金属製でも合成樹脂性の伸縮自在のアンテナ状に構成されているが、本実施例ではステンレス製のものを使用した。ここで、取っ手棒２は、角筒状の伸縮自在のものでもよい。また、折り尺状に折りたたむ方式のものでも良い。【００１８】  第２図には、第一図の消火器具１が縮小されて、容器１に棒３の一部が挿入され、台上に立って置かれている状態が示されている。
容器１は、綿織物からなる袋体であるが、この容器１は燃焼中の天ぷら鍋８の中に挿入されると（天ぷら油面から約２０ｃｍ上）、火炎によって瞬時に消失し、内包されたマイクロカプセル約５０ｇが容器から放出されて鍋８の天ぷら油中（約３５０℃）に落下するとともに、マイクロカプセルの芯材となっているジブロモメタンが気化し、気化ガス圧によってカプセルは破裂し、気化ガスが火炎及び油面を覆って瞬間的に消火する。容器の火炎への挿入時から消火までの時間は２秒以内であった。そして、再燃することはなかった。【００１９】  天ぷら油は酸化の進んだ古い油から新しい油まで、自然発火温度は３００℃〜３７０℃といわれている。本実施例では燃焼時の油温度は３５０℃であった。ジブロモメタンの場合、不燃性で、常圧での気化温度（沸点）は９７℃である。また気化ガスの比重は空気よりも重い。気化によって液体時の容積の約３００倍に膨張する。
【実施例２】
【００２０】  実施例２はジブロモメタンを水に代えた以外は実施例１と同様である。消火時間は２秒以内であった。
【図面の簡単な説明】
【００２１】
【図１】本考案の簡易消火器具の実施図
【図２】本考案の簡易消火器具の台上での設置実施図
【符号の説明】
【００２２】１  簡易消火器具
２  容器
３  取っ手棒
４  消火剤
５  取っ手棒の先端部
６  取っ手棒の基端部
７  紐状体
８  支持具
９  天ぷら鍋
【図１】
0003127934.tif 000003
【図２】
0003127934.tif 000004
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
伸縮自在の取っ手棒３と、この取っ手棒３の先端部５に消火剤４を内包した容器１を取り付けた簡易消火器具であって、該消火剤４が揮発性且つ不燃性の消火液を含有するマイクロカプセルからなることを特徴とする簡易消火器具。
【請求項２】
上記の取っ手棒３の先端部５の一部が高温で軟化破断することを特徴とする請求項１に記載の簡易消火器具。
【請求項３】
上記の取っ手棒３の先端部５と容器２とは紐状体６で取り付けられたことを特徴とする請求項１に記載の簡易消火器具。
【請求項４】
縮小された取っ手棒３の少なくとも一部が容器１の内部に収納されることを特徴とする請求項１〜３のいずれか一項に記載の簡易消火器具。
【請求項５】
上記の取っ手棒３の基端部６又はその近傍に支持具８が取り付けられ、容器２を上にして立てられるようにしたことを特徴とする請求項１〜４のいずれか一項に記載の簡易消火器具。
【請求項６】
縮小された取っ手棒３の少なくとも一部が容器２の内部に収納された状態で、該容器２が取っ手棒３を上側にして立てられる構造であることを特徴とする請求項１〜４のいずれか一項に記載の簡易消火器具。
【請求項７】
上記の紐状体７が高温で容易に軟化切断される、又は、火炎で容易に燃焼切断される材料からなることを特徴とする請求項３〜６のいずれか一項に記載の簡易消火器具。
【請求項８】
上記の容器２が高温で容易に軟化破断する材料からなり、内包されたマイクロカプセルが放出されることを特徴とする請求項１〜６のいずれか一項に記載の簡易消火器具。
【請求項９】
上記の容器２が通気性の袋体からなることを特徴とする請求項１〜８のいずれか一項に記載の簡易消火器具。
【請求項１０】
上記の容器２が網体からなることを特徴とする請求項１〜９のいずれか一項に記載の簡易消火器具。
【請求項１１】
上記の容器２が気密性のある材料からなることを特徴とする請求項１〜８のいずれか一項に記載の簡易消火器具。
【請求項１２】
上記の消火液が沸点５０℃乃至１５０℃である常温で液体からなることを特徴とする請求項１〜１１のいずれか一項に記載の簡易消火器具。
【請求項１３】
上記の消火液が水又は水を主成分とする液体状混合物であることを特徴とする請求項１２に記載の簡易消火器具。
【請求項１４】
上記の消火液がジブロモメタン（二臭化メタン）またはジブロモメタンを主成分とする液体状混合物であることを特徴とする請求項１２に記載の簡易消火器具。
【請求項１５】
上記のマイクロカプセルの殻が１３０℃乃至２００℃で消火液の気化ガス圧で破壊し、該気化ガスが放出されることを特徴とする請求項１〜１４のいずれか一項に記載の簡易消火器具。
【請求項１６】
上記のマイクロカプセルの殻が天然樹脂又は合成樹脂またはこれらの混合物で形成されることを特徴とする請求項１〜１５のいずれか一項に記載の簡易消火器具。
【請求項１７】
上記の天然樹脂がゼラチン又はゼラチンを主成分とする混合物であることを特徴とする請求項１６に記載の簡易消火器具。